(57)【要約】【課題】  複数枚のパネルが継手部を介して折畳み出来る折畳み扉において、パネルに小窓を設けて部屋の換気機能を向上させる折畳み扉の提供。【解決手段】  パネル３ａ，３ｂに開閉することが出来る小窓４ａ，４ａ，４ｂ，４ｂを取付け、該小窓は上縁部に設けた軸を中心として揺動することで開閉する構造とし、そして押開いた状態で開口する空間に網部材５ａ，５ａ，５ｂ，５ｂを取付けたアコーディオン式網戸を付設し、さらに上記小窓を複数設けると共に、その設置高さを違わせている。【選択図】    図１
2010133106.tif 000002
【特許請求の範囲】
【請求項１】
複数枚のパネルが継手部を介して折畳み出来る折畳み扉において、上記パネルに開閉することが出来る小窓を取付け、該小窓は上縁部に設けた軸を中心として揺動することで開閉する構造とし、そして押開いた状態で開口する空間に網部材を取付けたアコーディオン式網戸を付設し、さらに上記小窓を複数設けると共に、その設置高さを違わせたことを特徴とするアコーディオン式網戸を付設した折畳み扉。
【請求項２】
上記アコーディオン式網戸を構成する網部材の表面側と背面側には概略Ｕ形の取付け板を設け、表面側の取付け板は小窓の背面に取付けられ、背面側の取付け板は小窓が取着されるパネルに取付けられ、しかも該取付け板は着脱可能な取付け構造とした請求項１記載のアコーディオン式網戸を付設した折畳み扉。
【請求項３】
上記小窓を同一パネルの上部と下部に設けた請求項１、又は請求項２記載のアコーディオン式網戸を付設した折畳み扉。
【請求項４】
上記小窓を異なるパネルの上部と下部に設けた請求項１、又は請求項２記載のアコーディオン式網戸を付設した折畳み扉。
【発明の詳細な説明】
【技術分野】
【０００１】
本発明は意匠性の高いアコーディオン式網戸を付設した小窓を有し、部屋の換気機能を高めた折畳み扉に関するものである。
【背景技術】
【０００２】
折畳み扉とは複数枚のパネルを継手部を介して折畳み出来るように連結して構成されている。そして、この折畳み扉に網戸を備えることで、閉じた状態で換気することが出来るようにした折畳み扉も存在している。例えば、実用新案登録第２６０６６３１号に係る「網戸を備えた折畳み扉」は、複数枚のパネルを屈曲可能に連結した折畳み扉において、パネル枠の中間には中桟を設け、そしてパネル枠には小窓用枠を該中桟を境として上下少なくとも一方に取付け、この小窓用枠には開閉可能な小窓を取着し、また上記パネル枠にはガイド溝を形成し、該ガイド溝に網戸側端を嵌入して上下方向にスライド可能としている。
【０００３】
図８は上記実用新案登録第２６０６６３１号に係る「網戸を備えた折畳み扉」の具体例であり、
（ａ）は折畳み扉が伸長していて、小窓は閉じていて網戸は降下している。折畳み扉は４枚のパネル（イ）、（ロ）、（イ）、（ロ）から成って、各パネル（イ）、（ロ）、（イ）、（ロ）は互いに折畳まれるように継手部を介して連結している。そして、パネル（イ）、（イ）の上部には開閉する小窓（ハ）、（ハ）を有し、下部には網戸（ニ）、（ニ）を備えている。
（ｂ）は上記小窓（ハ）、（ハ）を開いた場合を示している。小窓（ハ）、（ハ）は外方向へ押開くことが出来る。そして、小窓（ハ）、（ハ）を開くことで、開口から虫などが侵入しないように網戸（ニ）、（ニ）を持ち上げることが出来る。
（ｃ）は網戸（ニ）、（ニ）が持ち上げられた場合である。
このように、部屋を換気する場合、小窓（ハ）、（ハ）を開くと共に網戸（ニ）、（ニ）を持ち上げなくてはならない。
【０００４】
図８に示しているように、従来の網戸（ニ）は小窓（ハ）から独立した構造であり、不必要になれば折畳み扉のパネル（イ）から取外すことは出来るが、小窓（ハ）の内側に取付けた場合、部屋内部から見えるようになり、その為に網戸（ニ）によって外観が損なわれる。又、網戸（ニ）が併設されることで採光性及び視界が悪くなるといった問題もある。そこで、意匠性、採光性、及び視界を向上する為に小窓（ハ）に網戸（ニ）を併設することなく、該小窓（ハ）に網戸を組み込んで一体化して構成した折畳み扉も知られている。
【０００５】
特開２００２−９７８７３号に係る「収納網戸」は、採光窓において、通気のために開閉戸を開いた時、昆虫やゴミ等が侵入しないようにすると共に、採光においても光が遮られることのない収納網戸である。
そこで、 建物の開口縁に固定される窓枠に透光性を有する開閉戸を配置した窓において、開閉戸の一縁辺部を軸縁辺部とすると共に軸縁辺部以外の縁辺部を回動縁辺部としている。開閉戸を軸縁辺部を軸にして回動開閉自在に窓枠に配置して開閉戸の開時に窓枠と開閉戸との間に通気隙間を形成し、開閉戸の閉時に開閉戸の回動縁辺部と対応する窓枠の枠片を回動縁枠片として、前記通気隙間を覆う通気性網の一端部を少なくとも回動縁辺部に接続すると共に他端部を少なくとも回動縁枠片に接続している。
【０００６】
特開平１１−１１７６３７号に係る「採光・通風窓」は、窓を押し開き式にし、窓開時には、その開口面がスクリーンフィルターで外気と遮蔽され、閉時には、窓枠の一端側に収納され、常に視界の妨げにならないように、収納しておくことが可能なスクリーンフィルターを付属する採光・通風窓である。
そこで、透光性板材の嵌めこまれた窓障子の一辺を軸辺として、窓障子の回動により窓障子の他の三辺と窓枠の他の三辺との間が開閉される窓であって、開閉する窓障子の他の三辺に、窓閉時には折り畳まれ、窓開時には窓障子と窓枠との間の開部を覆うように開くアコーディオン式のスクリーンフィルターが付属されている。
【０００７】
ところで、上記アコーディオン式網戸を小窓に組み込むならば、該小窓を押し開くと同時に折畳まれているアコーディオン式網戸が拡張して開口を仕切ることが出来る。網戸は無数の小さな網目を有している為に、虫などの侵入を防止すると共に空気が流れて部屋の換気を行うことが出来る。しかし、折畳み扉のパネルに小さなアコーディオン式網戸を組み込んだ小窓を設けて押開いても、短時間で換気することは容易でない。
【特許文献１】実用新案登録第２６０６６３１号に係る「網戸を備えた折畳み扉」
【特許文献２】特開２００２−９７８７３号に係る「収納網戸」
【特許文献３】特開平１１−１１７６３７号に係る「採光・通風窓」
【発明の開示】
【発明が解決しようとする課題】
【０００８】
このように従来の小窓を備えた折畳み扉には上記のごとき問題がある。すなわち、上縁部を中心として揺動するアコーディオン式網戸を付設した小窓を押し開いて開口する空間は、四角形の下開口と両側に形成される三角形の側開口であり、空気がスムーズに循環して流れることが出来る開口ではない。本発明が解決しようとする課題はこの問題点であり、意匠性、採光性、視界を向上させると共に、短時間で部屋の換気を行うことが出来るように、アコーディオン式網戸を付設した小窓を有す折畳み扉を提供する。
【課題を解決するための手段】
【０００９】
本発明に係る折畳み扉は複数枚のパネルを連結して構成し、伸縮することで窓を開閉することが出来る。そして、上記パネルには小窓を設け、該小窓はその上縁部を軸として揺動出来るように取付けられ、外方向へ押し開くことが出来る。従って、折畳み扉を伸長した状態、すなわち窓を閉鎖した状態で小窓を押し開くことが出来る。
【００１０】
小窓を押し開くならばパネルとの間に開口が形成されるが、この開口は四角形の下開口と三角形の側開口であり、この開口を遮る為にアコーディオン式網戸を付設している。アコーディオン式網戸は小窓の開閉に伴って伸縮し、小窓が閉じられるならば折畳んで収納される。ところで、本発明の折畳み扉のパネルには、このアコーディオン式網戸を付設した小窓が異なる高さに取付けられている。
【発明の効果】
【００１１】
本発明に係る折畳み扉はそのパネルに小窓を有し、該小窓にはアコーディオン式網戸が付設されている。従って、小窓を押開くと同時に折畳まれている網戸が拡張して開口に配置され、虫の侵入を遮断すると共に換気を行うことが出来る。そして、小窓はパネルの同じ高さではなく、異なる高さに設けていることで空気が循環して流れ易く、部屋の換気機能は向上する。
【００１２】
小窓に付設される網戸はアコーディオン式である為に、該小窓を閉じる場合には折畳まれて収納されて外に現れることはなく、該網戸にて折畳み扉の外観が損なわれることはない。さらに網戸は小窓の下開口及び両側開口に配置される為に、小窓を通して見る視界が遮られることもなく採光性は良好である。
【実施例】
【００１３】
図１は本発明の小窓を備えた折畳み扉を示す実施例である。同図の折畳み扉１ａ，１ｂは窓枠に対を成して装着され、該折畳み扉１ａは２枚のパネル２ａ，３ａが継手部を介して互いに折畳むことが出来るように連結して構成され、折畳み扉１ｂは同じく２枚のパネル２ｂ，３ｂが継手部を介して互いに折畳み出来るように連結している。図１の（ａ）は対を成す折畳み扉１ａ，１ｂが共に伸長して窓が閉じている場合、（ｂ）は折畳み扉１ａ，１ｂが共に折畳まれて窓が開口している場合を表している。
【００１４】
ところで、同図に示す折畳み扉１ａ，１ｂのパネル３ａ，３ｂにはガラスを嵌めた小窓４ａ，４ａ，４ｂ，４ｂが取付けられていて、これら各小窓４ａ，４ａ，４ｂ，４ｂは押開くことが出来る。小窓４ａ，４ａは折畳み扉１ａの戸先側パネル３ａの上部と下部に開閉可能に取付けられ、小窓４ｂ，４ｂは折畳み扉１ｂの戸先側パネル３ｂの上部と下部に開閉可能に取付けられている。
【００１５】
図１（ｃ）は上記４枚の小窓４ａ，４ａ，４ｂ，４ｂを押開いた状態を表している。（ｃ）の斜線は網部材５ａ，５ａ，５ｂ，５ｂを示し、小窓４ａ，４ａ，４ｂ，４ｂを開くことで開口する空間に取付けられる。すなわち、小窓４ａ，４ａ，４ｂ，４ｂが開いた状態では、その下側及び両側が開口して空間と成り、その為に網部材５ａ，５ａ，５ｂ，５ｂは小窓４ａ，４ａ，４ｂ，４ｂの下開口及び両側開口を仕切ることが出来る。
【００１６】
ただし、網部材５ａ，５ａ，５ｂ，５ｂは小さい網目を無数に有し、空気は流れることが出来る。すなわち、図１（ｂ）に示すように、両折畳み扉１ａ，１ｂを折畳むことで窓を開くことが出来、室内の空気の出入れを行うことが可能であるが、夏場で虫が侵入する季節では両折畳み扉１ａ，１ｂを閉じた状態とし、小窓４ａ，４ａ，４ｂ，４ｂを開くことが出来る。本発明の折畳み扉１ａ，１ｂは、そのパネル３ａの上部と下部に小窓４ａ，４ａを有し、同じくパネル３ｂの上部と下部に小窓４ｂ，４ｂを設けている。従って、該小窓４ａ，４ａ，４ｂ，４ｂを開いてもその開口は比較的小さいが、上・下部に設けることで空気は循環して流れ、部屋の換気を素早く行うことが出来る。
【００１７】
図２はパネル３ｂの縦断面図、図３はパネル３ｂの横断面図を夫々表している。折畳み扉１ｂは前記説明した通り、パネル２ｂとパネル３ｂを有し、パネル２ｂとパネル３ｂは継手部６ｂを介して連結し、パネル３ｂの先端には戸先框７ｂが連結している。パネル３ｂと継手部６ｂとは継手８ｂを介して連結し、パネル３ｂと戸先框７ｂとは継手９ｂを介して連結していて、パネル２ｂとパネル３ｂが折畳まれる時は、継手部６ｂは窓の枠体から前記図１（ｂ）に示すように外側へ張り出す。
【００１８】
ここで、戸先框７ｂは枠体から張り出すことなく、その上端には吊車１０ｂが取着されていて、吊車１０ｂは上枠１１に設けている上レール１２に載っている。パネル２ｂとパネル３ｂが折畳まれる時、すなわち折畳み扉１ｂが折畳まれる時は継手部６ｂが上枠１１から張り出されると共に吊車１０ｂは上レール１２に沿って移動することが出来る。
【００１９】
図３には表示していないが、パネル２ｂは吊元框と継手を介して連結し、吊元框は枠体の縦枠に取付けられている。そして、折畳み扉１ａも折畳み扉１ｂと同じように構成している。ところで、パネル３ｂには２枚の小窓４ｂ，４ｂが上部と下部に取付けられ、しかも外側へ押開くことが出来る構造と成っている。図２においては、上部の小窓４ｂは押開かれ、下部の小窓４ｂは閉じた状態を表している。小窓４ｂはその上縁部が継手１３ｂを介して軸支されていて、小窓４ｂは水平な継手１３ｂを中心として揺動することが出来る。
【００２０】
小窓４ｂの下端内側にはハンドル１４ｂが取付けられていて、このハンドル１４ｂを握って外方向へ押圧するならば、小窓４ｂは押開かれる。パネル３ｂには収容部１５ｂが設けられており、小窓４ｂが閉じた場合には該収容部１５ｂに収容されて外側表面はパネル３ｂと同一面となる。そして、収容部１５ｂの底面にはシール材が設けられていて、小窓４ｂが閉じるとシール材に当接して隙間なく密閉する。
【００２１】
ところで、小窓４ｂを外側へ押開いた時に該小窓４ｂの下側及び両側は開口し、この開口に網部材５ｂが取付けられる。図４は網部材５ｂの具体例を表している。網部材５ｂは上端を中心として下側が伸縮し、アコーディオンのように変形することが出来る。そして、表面側と背面側には取付け板が設けられ、該取付け板は側取付け板１６，１６及び下取付け板１７から成っている。
【００２２】
しかし、上記取付け板は側取付け板１６，１６と下取付け板１７に分離しないで、概略Ｕ形の取付け板としてもよい。そこで、表面側の取付け板は小窓４ｂに取付けられ、背面側の取付け板はパネル３ｂの収容部１５ｂの底面に取付けられる。図５（ａ）〜（ｄ）は網部材５ｂを取付ける場合の作業工程を示しているが、表面側の取付け板１８を小窓４ｂ側に取付け、背面側の取付け板１９をパネル３ｂの収容部１５ｂの底面に取付ける。
【００２３】
そこで、小窓４ｂには係止片２０が設けられ、パネル３ｂ側には係止溝２１を設けている。取付け板１８は係止片２０に係止して取付けられ、取付け板１９は係止溝２１に嵌って係止する。
（ａ）は取付け板１８を係止片２０に係止する場合を示している。
（ｂ）は取付け板１８が係止片２０に係止した状態を示している。
（ｃ）は取付け板１９を係止溝２１に係止する場合を示している。
（ｄ）は取付け板１９が係止溝２１に係止して取付けられた場合を示している。
【００２４】
上記係止片２０は取付け板１８と同じく概略Ｕ形を成し、又係止溝２１も取付け板１９と同じく概略Ｕ形としている。係止片２０に係止した取付け板１８は独りでに外れ難く、一方の取付け板１９は樹脂製で弾性変形することで係止溝２１に嵌ることが出来る。従って、一旦、係止溝２１に嵌った取付け板１９は独りでに該係止溝２１から離脱することはない。
【００２５】
ところで、網部材５は着脱可能な取付け構造としているが、係止片２０と係止溝２１に限定するものではない。取付け板１８及び取付け板１９を金属製とし、小窓４とパネル３側にマグネットを設けることで、網部材５を所定の位置に取付けることが可能である。
【００２６】
図６は折畳み扉に設けた小窓４，４・・の配置を示す具体例である。同図においてハッチィングで示した部分は小窓４を示しており、この小窓４は前記実施例と同じく外方向へ押し開くことが出来るように構成している。前記図１に示した折畳み扉１ａ，１ｂの場合は戸先側パネル３ａ，３ｂの上部と下部に小窓４ａ，４ａ，４ｂ，４ｂを設けており、図６の（ａ）に相当するが、本発明では１枚のパネルの上部と下部に小窓を設ける場合に限定するものではない。
【００２７】
図６（ｂ）の折畳み扉の場合、パネル２の下部とパネル３の上部に小窓４、４を設けている。図６（ｃ）の折畳み扉の場合、パネル３にはその上部と下部に小窓４，４を設け、パネル２にはその上部にのみ小窓４を設けている。図６（ｄ）の折畳み扉の場合、パネル３にはその上部と下部に小窓４，４を設け、パネル２にもその上部と下部に小窓４，４を設けている。
【００２８】
ところで、本発明では折畳み扉を構成するパネルに小窓４，４・・を設けているが、これら各小窓４，４・・・は同一高さではなく、その高さを違わせて配置している。小窓４はその上縁部に設けた軸（継手）を中心として揺動し、押し開くことが出来るように構成している。その為に、押し開いて形成される開口は小窓の下側と小窓の両側であり、下側開口は四角形と成るが、両側開口は三角形となり、小窓全体が開口するものではない。
【００２９】
すなわち、開口の高さに大きな差がなく、その為に一ヶ所の小窓４を開いただけでは部屋の換気をスムーズに行うことは容易でない。本発明のように折畳み扉の上下に高さを違えて小窓４，４・・を設けることで、空気の流れをスムーズならしめる。
【００３０】
図７は上・下小窓４，４を開いた場合の空気の流れを示す具体例である。上部の小窓４から外気が流入し、下部の小窓４から内気流出する。勿論、図示していないが、開口には網部材５が取付けられていて、虫の侵入は防止される。ところで、前記図６において、パネルに設けた中桟を境として上部と下部に分けているが、必ずしも中桟で仕切る場合に限らず、間に開くことが出来ない大きなガラスを嵌め、上端部と下端部に開閉可能な小窓を設けることもある。
【図面の簡単な説明】
【００３１】
【図１】本発明の網部材を備えた折畳み扉。
【図２】折畳み扉の縦断面図。
【図３】折畳み扉の横断面図。
【図４】網部材を示す具体例。
【図５】網部材を取付ける工程。
【図６】小窓の配置例。
【図７】上下小窓開口の空気の流れ。
【図８】従来の折畳み扉に備えた網戸。
【符号の説明】
【００３２】
１  折畳み扉
２  パネル
３  パネル
４  小窓
５  網部材
６  継手部
７  戸先框
８  継手
９  継手
10  吊車
11  上枠
12  上レール
13  継手
14  ハンドル
15  収容部
16  側取付け部
17  下取付け部
18  取付け板
19  取付け板
20  係止片
21  係止溝
【図１】
2010133106.tif 000003
【図２】
2010133106.tif 000004
【図３】
2010133106.tif 000005
【図４】
2010133106.tif 000006
【図５】
2010133106.tif 000007
【図６】
2010133106.tif 000008
【図７】
2010133106.tif 000009
【図８】
2010133106.tif 000010